(57)【要約】【課題】カチオン性置換基及びケイ素置換基の両方を有する変性多糖を提供する。【解決手段】カチオン性置換基及びケイ素置換基が多糖に導入され、それによって、４級アンモニウム基によりカチオン置換されており、かつ、約０．１〜約２．５ｍｅｑ／ｇの電荷密度を有し、変性多糖が約３００〜約５０００ｐｐｍのケイ素含有量を有するように、シリコネート基によりさらに置換されている、変性多糖が製造される。変性多糖は、工業用、ホームケア及びパーソナルケア表面改質配合物において応用される。【選択図】なし【特許請求の範囲】
【請求項１】
カチオン性置換基及びケイ素置換基の両方を有する変性多糖であって、４級アンモニウム基によりカチオン置換されており、かつ、約０．１〜約２．５ｍｅｑ／ｇの電荷密度を有し、前記変性多糖が、約３００〜約５０００ｐｐｍのケイ素含有量を有するように、シリコネート基によりさらに置換されている、変性多糖。
【請求項２】
前記４級アンモニウム基が、一般式（Ｉ）又は（ＩＩ）：
【化１】
2017197710.tif 000038
（式中、ｎは１〜１６の整数であり、
Ｘはハロゲンであり、
Ｚ-は無機、ニトレート、亜硝酸塩、ホスフェート、サルフェート若しくは水酸化物又は有機であってよいアニオンであり、
Ｒは水素又はメチルであり、
Ｒ1、Ｒ2及びＲ3は、独立に最大１０個の炭素原子を有する有機ラジカルである。）
の１つの４級アンモニウム化合物から誘導された、請求項１に記載の変性多糖。
【請求項３】
前記多糖が架橋されて、水への溶解度が低下している、請求項１又は２に記載の変性多糖。
【請求項４】
前記多糖上のカチオン性置換基とケイ素置換基との比が、約１５００：１〜約１：３である、請求項１〜３のいずれか１項に記載の変性多糖。
【請求項５】
前記多糖が、スターチである、請求項１〜４のいずれか１項に記載の変性多糖。
【請求項６】
前記多糖が、ポリガラクトマンナンである、請求項１〜４のいずれか１項に記載の変性多糖。
【請求項７】
組成物の約０．１質量％〜約１．０質量％の請求項１〜６のいずれか１項に記載のものと、
組成物の約５質量％〜約６０質量％の少なくとも１種の界面活性剤と、
キャリアと、
を含む、表面改質組成物。
【請求項８】
前記界面活性剤が、アニオン性界面活性剤、カチオン性界面活性剤、非イオン性界面活性剤、両性界面活性剤及びこれらの組み合わせから選択される、請求項７に記載の表面改質組成物。
【請求項９】
基材に請求項７又は８に記載の表面改質組成物を適用することを含む、改質された基材を達成する、方法。
【請求項１０】
前記基材がケラチン性表面、セルロース、木、セラミック、ガラス又は金属である、請求項９に記載の方法。
【発明の詳細な説明】
【技術分野】
【０００１】
本発明の分野
本発明は、変性多糖に関する。より具体的には、本発明は、カチオン性及び有機官能性シラン成分の両方を有する変性多糖、並びに係る変性多糖を含む表面改質組成物に関する。
【０００２】
水溶性多糖は、レオロジー調整剤、フィルム形成剤及びバインダーとして広範な工業的応用が見出されている。それは、ラテックス塗料、掘削泥水、化粧品、洗浄剤及び建築材料等の種々の水系配合物のレオロジーを制御する増粘剤として広く用いられている。セルロース、グアー及びスターチ等の天然の多糖は、市販の水溶性ポリマーの大きな分類である。一般的な市販で入手可能な化学的に変性された天然の多糖としては、ポリクオタニウム‐１０（カチオン変性ヒドロキシエチルセルロース）及びグアーヒドロキシプロピルトリモニウムクロリド（カチオン変性グアーガム）等の化合物が挙げられる。係る多糖は、表面改質組成物中で用いられることが多い。
【０００３】
界面活性剤、コンディショニング剤及びキャリアの種々の組み合わせを含む表面改質組成物が知られている。係る表面改質組成物は、工業製品、家庭用品及びパーソナルケアを含む広範な用途を有する。これらの製品は、典型的にはカチオン性コンディショニングポリマー、シリコーン、炭化水素オイル、脂肪エステル又はこれらの組み合わせ等のコンディショニング剤と組み合わせてアニオン性界面活性剤を含む。
【０００４】
カチオン性コンディショニングポリマーは、表面改質組成物中のコンディショニング剤及び表面改質剤としてはたらくことができる。これらのポリマーコンディショナーは、表面の物理的条件を改善することにより、それが適用された基材のより良好な見た目及び感触を促す（したがって、それらが基材の表面を改善するという点で「コンディショニング」という名称）。例えば、基材がケラチン又は髪である場合、コンディショナーは、乾燥した髪を、より滑らかな感触で、より輝き、より扱いやすいものにすることができる。基材が肌である場合、カチオン性コンディショナーは、保湿及び環境からの保護等の種々の機能を果たすことができる。基材が紙等の木又は他のセルロース材料である場合、コンディショナーは材料を保護し、又は保存するのに役立つことができる。カチオン性コンディショニングポリマーを含む組成物が適用されることのできる基材の例としては、髪、肌、爪、ケラチンを含む基材、硬い表面、カーペット、ファブリック、革、木、プラスチックを含む組成物、及びビニルが挙げられる。
【０００５】
基材の上への持続性は、これらのコンディショニングポリマーの幾らかが働く方法の１つを介する。カチオン性コンディショニングポリマーは、それが適用される基材の固有のアニオン性電荷への結合を促進するカチオン性電荷を介して基材への持続性を達成する。基材の性質に応じて、基材の上へのポリマーの持続性は、フィルム又はバリア機能を与えることができる。他の利益としては、材料の向上したデポジション及び改善した感触が挙げられる。係る材料は、シリコーンを含むことができる。
【０００６】
シリコーン、又はより正確にはポリシロキサンは、結合した有機側鎖を有する無機ケイ素‐酸素骨格鎖（．．．‐Ｓｉ‐Ｏ‐Ｓｉ‐Ｏ‐Ｓｉ‐Ｏ‐．．．）からなり、一般式［Ｒ2ＳｉＯ］n（式中、Ｒはメチル、エチル又はフェニル等の有機基である。）を有する。最も一般的なシロキサンは、ポリジメチルシロキサン（ａ／ｋ／ａＰＤＭＳ又はジメチコン）（透明なシリコーンオイル）である。カチオン性コンディショニングポリマーなどの表面改質組成物中に存在するシリコーンは、消泡剤としてはたらくこと、並びに基材をより滑らかにし、より輝かせるように基材の感触及び外観を改善することを含む、種々の機能を果たすこともできる。しかし、シリコーンは、典型的な表面改質組成物と混和することができず、その低い比重のために分離する傾向がある。
【０００７】
ワックスエマルション等のリーブ・オン（ｌｅａｖｅ‐ｏｎ）配合物において、配合物におけるカチオン性ポリマーの１つの機能はフィルム形成性（すなわち保護コーティングを与えること）である。係るワックスエマルションは、塗料／ラッカー、印刷インク、テキスタイル、床磨き、木及び材木保護、自動車磨き、並びに紙及びボードコーティングを含む種々の応用において有用である。
【０００８】
シリコーンを含むリンス・オフ（ｒｉｎｓｅ‐ｏｆｆ）配合物において、配合物中のカチオン性ポリマーの１つの機能は、それが適用された基材の上のシリコーン等の材料のデポジションを助けることである。ポリクオタニウム‐１０は、基材の表面（例えば髪、肌又は他のアニオン帯電した表面）の上のシリコーンのデポジションを助けるのに用いられる、一般的なコンディショニングポリマーの例である。
【０００９】
不運なことに、一旦堆積したシリコーンを除去することは、困難である可能性がある。このデポジションは、各々の連続した適用によるビルドアップをもたらす。シャンプーすることにより適用される場合、係るビルドアップは所望のヘアスタイルのボリュームを減らし、「しおれた（ｄｒｏｏｐｙ）」平らなヘアスタイルをもたらす可能性がある。
【００１０】
ビルドアップを避けることに関して試みられた解決策としては、界面活性剤組成物中の溶解性塩を含むカチオン性ポリマーを含むウォーター・イン・ウォーターエマルションにより髪を処理することが挙げられる。しかし、クラリファイングシャンプーを用いることもできるが、着色された髪上でのこれらのシャンプーの使用は、髪の色をより速くあせさせる可能性がある。低粘度のマイクロエマルションシリコーンオイルは、カチオン性ポリマーと組み合わせることができる。しかしこれらは、髪を扱うことの困難性に対する効果は小さい。したがって、ビルドアップ等の関連する課題なしにシリコーンの利益を与える、シリコーンを含む表面改質組成物に対する必要がある。
【発明の概要】
【００１１】
本開示で提供されるのは、カチオン性置換基及びケイ素置換基の両方を有する変性多糖である。この変性多糖は、４級アンモニウム基によりカチオン置換され、かつ、約０．１〜約２．５ｍｅｑ／ｇの電荷密度を有する。より好ましくは、４級アンモニウム基により置換された多糖は、約０．２〜約２．０ｍｅｑ／ｇの電荷密度を有する。いっそう好ましくは、４級アンモニウム基により置換された多糖は、約０．８〜約１．５ｍｅｑ／ｇの電荷密度を有する。
【００１２】
変性多糖において有用な４級アンモニウム基は、一般式（Ｉ）又は（ＩＩ）：
【００１３】
【化１】
2017197710.tif 000002
【００１４】
（式中、
ｎは１〜１６の整数、好ましくは１であり、
Ｘはハロゲン、特にフッ素、塩素、ホウ素又はヨウ素、好ましくは塩素であり、
Ｚ-は無機、例えばハロゲン化物（フッ化物、塩化物、ホウ化物又はヨウ化物、好ましくは塩化物）、ニトレート、亜硝酸塩、ホスフェート若しくは水酸化物、又は有機、例えばアセテート若しくはプロピオネート等のカルボキシレートであってよいアニオンあり、
Ｒは水素又はメチル、好ましくは水素であり、
Ｒ1、Ｒ2及びＲ3は同一又は異なってよく、各々有機ラジカルであり、好ましくは最大１０個の炭素原子を含み、Ｒ1、Ｒ2及びＲ3は、各々好ましくはメチルである。）
の１つにしたがう４級アンモニウム化合物から誘導される。好ましくは、４級アンモニウム化合物は、グリシジルトリメチルアンモニウムクロリド又はその等価物である。
【００１５】
変性多糖は、シリコネート基によっても置換され、約３００〜約５０００ｐｐｍのケイ素含有量を有する変性多糖をもたらす。好ましくは、多糖におけるカチオン性置換基とケイ素置換基との比は、約１５００：１〜約１：３である。好ましい実施態様において、ケイ素置換基はアルキルシラノール、より好ましくはメチルシラノールである。
【００１６】
１つの実施態様において、本開示に記載される変性多糖は、さらに架橋されて、その水への溶解度を低下させることができる。
【００１７】
本発明による変性に有用な適した多糖の例は、ポリガラクトマンナンである。有用なポリガラクトマンナンとしては、フェヌグリークガム、グアーガム、タラガム、ローカストビーンガム及びカッシアガムが挙げられる。１つの実施態様において、ポリガラクトマンナンはグアーガムである。別の実施態様において、ポリガラクトマンナンはタラガムである。
【００１８】
本開示に記載の変性多糖は、工業用、ホームケア及びパーソナルケア表面改質又はクレンジング配合物に応用される。例えば、本発明による表面改質組成物は、組成物の約０．１質量％〜約１．０質量％のカチオン変性シリコーングラフト化多糖と、組成物の約５質量％〜約６０質量％の少なくとも１種の界面活性剤と、キャリアとを含むことができる。
【００１９】
１つの実施態様において、表面改質組成物中で用いられるカチオン変性シリコーングラフト化多糖は、カチオン変性シリコーングラフト化ポリガラクトマンナンである。表面改質組成物中で用いられる変性多糖の形成に有用なベースポリガラクトマンナンの例としては、フェヌグリークガム、グアーガム、タラガム、ローカストビーンガム、カッシアガム及びこれらの組み合わせが挙げられる。好ましい実施態様において、ポリガラクトマンナンはグアーガムである。
【００２０】
別の実施態様において、表面改質組成物中で用いられるカチオン変性シリコーングラフト化多糖は、カチオン変性シリコーングラフト化スターチである。本発明において有用なスターチ及びフラワーは、任意の天然のソースから選択されることができる。天然のソースとしては、バナナ、コーン、エンドウ、ポテト、サツマイモ、オオムギ、小麦、米、サゴ、アマランス、タピオカ、ソルガム、ワキシーコーン、もち米、ワキシーオオムギ、ワキシーポテト、ワキシーソルガム、高アミロースを含むスターチなどが挙げられる。好ましいスターチは、低アミロース又はワキシースターチであり、ワキシーコーン、もち米、ワキシーポテト、ワキシーソルガム、ワキシーキャッサバ及びワキシーオオムギが挙げられる。明確に区別されない限り、本明細中のスターチへの言及は、対応するフラワーを含むことを意味する。また、スターチへの言及は、タンパク質が内因性タンパク質であるか、またはゼイン、アルブミン及びソイタンパク質等の動物又は植物のソースから添加されたタンパク質であるかに関わらず、タンパク質を含むスターチを含むことも意味する。
【００２１】
本発明による表面改質組成物は、種々の１種又はそれより多くの界面活性剤を用いることができる。係る界面活性剤としては、アニオン性界面活性剤、カチオン性界面活性剤、非イオン性界面活性剤、両性界面活性剤及びこれらの組み合わせが挙げられる。
【００２２】
本発明はさらに、上記の表面改質組成物が基材に適用される、改質された基材を達成する方法を提供する。係る基材は、用いられる表面改質組成物の種類に応じて変えることができる（例えば、工業用、ホームケア又はパーソナルケア）。例えば、表面改質組成物がパーソナルケア組成物である場合、基材はケラチン性表面（例えば髪、爪又は肌）であることができる。表面改質組成物がフィルム形成性組成物である場合、基材は木、セルロース、セラミック、ガラス、金属性又は任意の他のアニオン帯電した材料であることができる。
【発明を実施するための形態】
【００２３】
発明の詳細な説明
本開示で用いられる「消費者製品」は、一般的に販売されている形態において使用され、又は消費されることが意図される、ベビーケア、ビューティーケア、ファブリック及びホームケア、ファミリーケア、女性用ケア、ヘルスケア製品又はデバイスを意味する。係る製品としては、おむつ、よだれかけ、ワイプ；ブリーチすること、着色すること、染色すること、コンディショニングすること、シャンプーすること、スタイリングすることを含む、髪（人、犬、及び／又は猫）を処理することに関する製品及び／又は方法；デオドラント及び制汗；パーソナルクレンジング；化粧品；クリーム、ローション、また、高級香料などの消費者使用のための他の局所的に適用される製品の適用を含むキンケア；並びにシェービング製品、ファブリック及びホームケアの領域においてファブリック、硬い表面及び任意の他の表面を処理することに関する製品及び／又は方法（エアフレッシュナー及び香料伝達システムを含むエアケア、カーケア、食器洗い、ファブリックコンディショニング（柔軟化及び／又は清潔化を含む）、洗濯洗浄剤、洗濯及びリンス添加剤及び／又はケア、床及び便器クリーナーを含む硬い表面のクリーニング及び／又は処理、並びに消費者又は工業用の他のクリーニングを含む）；トイレットペーパー、ティッシュペーパー、ハンドペーパー及び／又はペーパータオルに関する製品及び／又は方法；タンポン、女性用ナプキン；トゥースペースト、トゥースジェル、トゥースリンス、義歯接着剤及び歯科用ホワイトニングを含むオーラルケアに関する製品及び／又は方法が挙げられるが、これらに制限されない。
【００２４】
本開示で用いられる「表面改質組成物」という用語は、別段の示唆がない限り、ビューティーケア、ファブリック及びホームケア製品を含む消費者製品のサブセットを指す。係る製品としては、ブリーチすること、着色すること、染色すること、コンディショニングすること、シャンプーすること、スタイリングすること、デオドラント及び制汗を含む、髪（人、犬、及び／又は猫）を処理する製品；パーソナルクレンジング、化粧品；クリーム、ローション、また、高級香料などの消費者使用のための他の局所的に適用される製品の適用を含むスキンケア；並びにシェービング製品、ファブリック及びホームケアの領域においてファブリック、硬い表面及び任意の他の表面を処理することに関する製品（エアフレッシュナー及び香料伝達システムを含むエアケア、カーケア、食器洗い、ファブリックコンディショニング（柔軟化及び／又は清潔化を含む）、洗濯洗浄剤、洗濯及びリンス添加剤及び／又はケア、床及び便器クリーナーを含む硬い表面のクリーニング及び／又は処理、粒状又は粉末形態の汎用又は「強力」洗浄剤、特にクリーニング洗浄剤を含む）；液体、ゲル又はペースト形態の汎用洗浄剤、特にいわゆる強力液体型；液体上質ファブリック洗浄剤；手洗い用食器洗浄剤又は軽い汚れ用食器洗浄剤、特に高発泡型のもの；家庭用及び業務用の種々のタブレット、粒状、液体及びすすぎ補助型を含む機械用食器洗浄剤、液体クリーニング及び殺菌剤（抗菌ハンドウォッシュ型、クリーニングバー、マウスウォッシュ、義歯クリーナー、歯磨き剤、カー又はカーペットシャンプー、便器クリーナーを含むバスルームクリーナーを含む）；ヘアシャンプー及びヘアリンス；シャワージェル、高級香料及び発泡バス並びにメタルクリーナー；並びにブリーチ添加剤及び「ステイン・スティック」又は前処理型等のクリーニング補助、ドライヤー添加シート、乾燥及び湿潤ワイプ及びパッド、不織布基材、及びスポンジ等の基材を含んだ製品；並びに消費者又は／及び業務用スプレー及びミスト全て；並びに／又はトゥースペースト、トゥースジェル、トゥースリンス、義歯接着剤、歯科用ホワイトニングを含むオーラルケアに関する方法が挙げられるが、これらに制限されない。
【００２５】
本発明による変性多糖の調製に有用な多糖としては、セルロースからスターチ、たとえばフェヌグリークガム、グアーガム、タラガム、ローカストビーンガム及びカッシアガム等のポリガラクトマンナンに亘る種々のソースが挙げられる。以下の構造は、本発明による変性に適した種々の多糖の例である。
【００２６】
【化２】
2017197710.tif 000003
【００２７】
上記で示されるのは、セルロース（式中、ＲはＨ）、又はヒドロキシエチルセルロース（式中、少なくとも１つのＲはＣＨ2ＣＨ2ＯＨ）の化学構造である。
【００２８】
【化３】
2017197710.tif 000004
【００２９】
上記の化学構造は、スターチ（アミロース分子）のものである。本発明の目的に関して、ワキシースターチ（アミロペクチン分子）も有用性があると予想され、アミロース及びアミロペクチン分子両方の組み合わせも同様である。
【００３０】
【化４】
2017197710.tif 000005
【００３１】
上記で示されるのは、カッシアガムの化学構造である。分子量に加えて、カッシアガムは、タラガム及びグアーガム等の他のゴムと、マンノースとガラクトースとの比で区別される。上記の構造から、カッシアガムが、５：１のマンノース：ガラクトース比を有することがわかる。対照的に、ローカストガムのマンノース：ガラクトース比は４：１であり、タラガムは３：１であり、グアーガムは２：１である。
【００３２】
多糖がスターチである場合、化学変性の前のスターチのソースは、塊茎、マメ科植物、穀類（ｃｅｒｅａｌ）及び穀類（ｇｒａｉｎ）等の種々のソースから選択することができる。このスターチソースの制限されない例としては、コーンスターチ、小麦スターチ、米スターチ、ワキシーコーンスターチ、オート麦スターチ、キャッサバスターチ、ワキシーオオムギ、もち米（ｗａｘｙ  ｒｉｃｅ）スターチ、グルテン状米スターチ、もち米（ｓｗｅｅｔ  ｒｉｃｅ）スターチ、ポテトスターチ、タピオカスターチ、サゴスターチ又はこれらの混合物が挙げられる。好ましいスターチソースは、低アミロース又はワキシースターチであり、ワキシーコーン、もち米、ワキシーポテト、ワキシーソルガム、ワキシーキャッサバ及びワキシーオオムギが挙げられる。
【００３３】
上記のソース又はベース多糖は、その天然の形態又は変性された形態であることができる。変性された形態又は誘導体は、物理的に、酵素的に又は化学的に変性された多糖を含む。係る変性の制限されない例としては、熱的変性、酸変性、酸化、ピロ転化、架橋、アセチル化、エステル化、ヒドロキシエチル化、ヒドロキシプロピル化、リン酸化、スクシネート変性及びカルボキシメチル化などが挙げられる。
【００３４】
上記の構造から、カチオン性及びケイ素変性のための前駆体として用いられる多糖が、その構造の一部としてヒドロキシル官能基を含むことがわかる。これらの反応基は、エーテル化又はエステル化等の化学反応の広範な範囲に関して利用可能である。カチオン性部分の場合において、４級アンモニウム基は、ポリマー骨格上にグラフトされ、共有結合を形成することができる。これらのカチオン性基は、髪及び肌等のアニオン性基材に対する多糖の結合を向上させる。
【００３５】
カチオン性置換基は、４級アンモニウム、スルホニウム又はホスホニウム基等のカチオン性基を含む１種又はそれより多くの試薬により多糖を反応させることにより（好ましくは触媒の存在下で、典型的にはエーテル化又はエステル化反応により）、多糖分子に導入されることができる。好ましくは、反応はエーテル化反応であり、試薬は４級アンモニウム試薬である。
【００３６】
試薬が４級アンモニウム試薬である場合、本発明による多糖は、塩基の存在下、水性又は溶媒系媒体中で、多糖を、反応性化学末端基を有する４級アンモニウム塩と反応させることにより調製される。適した４級アンモニウム化合物は、以下の一般式（Ｉ）及び（ＩＩ）：
【００３７】
【化５】
2017197710.tif 000006
【００３８】
（式中、
ｎは１〜１６の整数、好ましくは１であり、
Ｘはハロゲン、特にフッ素、塩素、ホウ素又はヨウ素、好ましくは塩素であり、
Ｚ-は無機、例えばハロゲン化物（フッ化物、塩化物、ホウ化物又はヨウ化物、好ましくは塩化物）、ニトレート、亜硝酸塩、ホスフェート、サルフェート若しくは水酸化物、又は有機、例えばアセテート若しくはプロピオネート等のカルボキシレートであってよいアニオンであり、
Ｒは水素又はメチル、好ましくは水素であり、
Ｒ1、Ｒ2及びＲ3は同一又は異なってよく、各々最大１０個の炭素原子を含む有機ラジカルであり、好ましくはメチルである。）
の１つにより表すことができる。
【００３９】
上記の式を有する多くの化合物が知られており、または、それらを従来の手順により調製することができる。係る化合物の幾つかは市販で入手可能である。適した４級アンモニウム化合物の例としては、
２，３‐エポキシプロピル‐Ｎ，Ｎ，Ｎ‐トリメチルアンモニウムクロリド（ａ／ｋ／ａグリシジルトリメチルアンモニウムクロリド（ＳＫＷ  Ｑｕａｂ  Ｃｈｅｍｉｃａｌｓ  Ｉｎｃ．からＱＵＡＢ１５１の名称で７０％水溶液として市販で入手可能））、及び
３‐クロロ‐２‐ヒドロキシプロピル‐Ｎ，Ｎ，Ｎ‐トリメチルアンモニウムクロリド（ａ／ｋ／ａクロロヒドリン（Ｑｕａｂ  Ｃｈｅｍｉｃａｌｓ  Ｉｎｃ．からＱＵＡＢ１８８の名称で６５％の水溶液として市販で入手可能）
が挙げられる。特に好ましい４級アンモニウム化合物は、グリシジルトリメチルアンモニウムクロリド又はその等価物である。
【００４０】
４級アンモニウム化合物による誘導化反応は、単一の工程において、又は介在する製品の分離及び精製を含む若しくは含まない２つ若しくはそれより多くの工程として実施することができる。単一の工程又は２つ若しくはそれより多くの工程において、反応は、塩基により多糖を活性化し（好ましくは水中又は他の有機溶媒中で）、次いで４級アンモニウム化合物と反応させることにより実施される。
【００４１】
多糖が溶媒系媒体中で４級アンモニウム化合物と反応する場合、好ましくは溶媒は多糖を分散させ、または膨潤させるものである。適した溶媒としては、脂肪族アルコール、特に、１〜４個の炭素原子を有するもの；２〜８個の炭素原子を有する多価アルコール、特にエチレン及びジエチレングリコール並びにグリセリン；脂肪族ケトン、特にアセトン；鎖状及び環状エーテル、特にジオキサン；並びに６〜１５個の炭素原子を有する脂肪族及び芳香族炭化水素と、水との混合物が挙げられる。化粧用用途に関して、溶媒は、化粧用又は皮膚科学的に許容可能でなければならず、水並びに／又はＣ1〜Ｃ4の低級アルコール（例えばエタノール、イソプロパノール、ｔｅｒｔ‐ブタノール又はｎ‐ブタノール）；アルキレンポリオール（例えばプロピレングリコール）；ポリオールエーテル；及びこれらの混合物等の他の有機溶媒を含むことができる。
【００４２】
典型的に、４級アンモニウム化合物は、過剰に用いられ、例えば約１：１６〜約１：２、特に、約１：１２〜約１：４の多糖中の単糖ユニットに基づくモル比において用いられる。誘導化反応が２つ又はそれより多くの工程において実施される場合、約１：２４〜約１：８のモル比が、好ましくは各工程において適用される。塩基、好ましくは水酸化ナトリウムは、単糖ユニット中のヒドロキシル基に基づいて約１：１４０〜約１：２５のモル比、及びこれが式（Ｉ）にしたがう化合物である場合、４級アンモニウム化合物に基づいて約２：１〜約１：２５、好ましくは約１：２〜約１：１２のモル比、またはこれが式（ＩＩ）による化合物である場合、約１：２〜約１：１０のモル比において、各工程で用いられる。各工程の反応温度は、約１５℃〜約１２０℃、好ましくは約５０℃〜約１００℃であってよく、全体の反応時間は、例えば約１〜約２０時間であってよい。誘導化反応が２つ又はそれより多くの段階において実施される場合、各段階の反応時間は、概して約０．２５〜約５時間、好ましくは約０．２５〜約３．５時間である。
【００４３】
生成物は、水性又は有機酸（例えば塩酸又は乳酸）による処理により中和されてよい。誘導化された生成物は、洗浄、例えば水、又は水と溶媒との混合物による洗浄によって過剰な塩と残渣を除去することにより、単離され、精製されることができる。生成物は、次いでろ過及び／又は遠心分離により回収され、その後（例えば熱乾燥により）脱水される。任意選択的に、アセトンを、少なくとも幾らかの水を除去し、乾燥を早めるために用いることができる。
【００４４】
Ｒ1、Ｒ2及びＲ3の１つ又はそれより多くが水素である、上記のように調製された誘導化された多糖を、その後のＮ‐アルキル化反応により、Ｒ1、Ｒ2及びＲ3の１つ又はそれより多くが炭化水素基である対応する化合物に転化することができる（例えば、式Ｒ5Ｈａｌの化合物（式中、Ｒ5は任意選択的に置換されたアルキル、ヒドロキシアルキル又はアルケニル等の炭化水素基であり、Ｈａｌはアンモニウム基の幾つか又は全ての４級化をもたらすハロゲン、特にフッ素、塩素、ホウ素又はヨウ素である。）による）。
【００４５】
以下の構造は、種々のカチオン変性多糖を示す。
【００４６】
【化６】
2017197710.tif 000007
【００４７】
上記に示されるのは、グリシジルトリメチルアンモニウムクロリドによりカチオン変性されたスターチ（アミロース分子）の化学構造である。
【００４８】
【化７】
2017197710.tif 000008
【００４９】
上記の化学構造は、グリシジルトリメチルアンモニウムクロリド（３．０ｍＥｑ／ｇ）によりカチオン変性されたカッシアポリマーのものである。
【００５０】
【化８】
2017197710.tif 000009
【００５１】
上記に示されるのは、グリシジルトリメチルアンモニウムクロリド（３．０ｍＥｑ／ｇ）によりカチオン変性されたローカストビーンポリマーの化学構造である。
【００５２】
【化９】
2017197710.tif 000010
【００５３】
上記に示されるのは、グリシジルトリメチルアンモニウムクロリド（３．０ｍＥｑ／ｇ）によりカチオン変性されたタラポリマーの化学構造である。
【００５４】
【化１０】
2017197710.tif 000011
【００５５】
上記に示されるのは、ポリクオタニウム‐１０（ＰＱ‐１０）（（グリシジルトリメチルアンモニウムクロリドによりカチオン変性された）カチオン変性ヒドロキシエチルセルロース（ＨＥＣ））の化学構造である。
【００５６】
本発明によるカチオン変性多糖は、概して約０．１〜約２．５ｍｅｑ／ｇ、より好ましくは約０．２〜約２．０ｍｅｑ／ｇ、いっそう好ましくは約０．８〜約１．５ｍｅｑ／ｇの電荷密度を有する。本開示で用いられるカチオン変性多糖の「電荷密度」は、多糖上の正電荷数とその多糖の分子量との比を指す。
【００５７】
多糖がガムである場合、ガムは、任意の劣化の前に約５００００〜約１０００００００ｇ／モルの重量平均分子量（ＭＷＷ）を有する。
【００５８】
モノマーケイ素化合物は、シランとして知られている。シランは、以下のシラン構造
【００５９】
【化１１】
2017197710.tif 000012
【００６０】
において示されるように、その化学構造において変化することができる。
【００６１】
上記の置換基は、ケイ素と結合することができる種々の化合物の例である。少なくとも１つの炭素‐ケイ素結合（例えばＨ3Ｃ‐Ｓｉ‐）を含むシランは、有機シランとして知られている。有機シランの他の３つの置換基が全て高度活性のヒドリドである場合、これらのヒドリドは、水と反応して（例えば縮合反応により）以下の構造
【００６２】
【化１２】
2017197710.tif 000013
【００６３】
に示される反応性シラノール（‐Ｓｉ‐ＯＨ）種を生成することができる。
【００６４】
シリコネートとしては、アルキルシリコネート及びフェニルシリコネート及びこれらの塩等の有機シリコネートが挙げられる。塩としては、ナトリウム及びカリウムの塩が挙げられる。アルカリ金属アルキルシリコネートとしては、一般式
【００６５】
【化１３】
2017197710.tif 000014
【００６６】
（式中、Ｒは１つ又はそれより多くの炭素を含むアルキル基（例えばメチル、エチル、プロピル、フェニル）であり、Ｘはアルカリ金属（例えばＮａ+又はＫ+）である）。
により規定されるものが挙げられる。例えば、アルカリ金属アルキルシリコネートがナトリウムメチルシリコネートである場合、Ｒはメチルであり、Ｘはナトリウムである。アルカリ金属有機シリコネートの例示的な種としては、ナトリウムメチルシリコネート、ナトリウムエチルシリコネート、ナトリウムプロピルシリコネート、カリウムメチルシリコネート、カリウムエチルシリコネート及びカリウムプロピルシリコネートが挙げられる。
【００６７】
メチルシリコネートのナトリウム又はカリウム塩は、例えば、ザイアメター（登録商標）ＯＦＳ‐０７７２シリコネート（ナトリウム塩）又はザイアメター（登録商標）ＯＦＳ‐０７７７シリコネート（カリウム塩）（両方ともＤｏｗ  Ｃｏｒｎｉｎｇから入手可能である）として市販で入手可能である。ナトリウムメチルシリコネート製品ザイアメター（登録商標）ＯＦＳ‐０７７２に関して、上記の構造は、２つのヒドロキシル官能基（‐ＯＨ）と、ＯＸ（Ｘはナトリウムである）にイオン化された第三の酸素により示されることができる。
【００６８】
上記のように、多糖を、誘導化反応と同じ反応、又は好ましくはその後の反応において任意選択的に架橋することができる。多糖に適した架橋剤としては、
ホルムアルデヒド、
ジメチロール尿素ジメチロールエチレン尿素等のメチロール化窒素化合物、及び
ジメチロールイミダゾリドン、
マレイン酸等のジカルボン酸、
グリオキサル等のジアルデヒド、
１，２：３，４‐ジエポキシブタン及び１，２：５，６‐ジエポキシヘキサン等のジエポキシド、
ジイソシアネート、
ジビニルスルホン等のジビニル化合物、
ジクロロアセトン、ジクロロ酢酸、１，３‐ジクロロプロパン‐２‐オール、ジクロロエタン、２，３‐ジブロモ‐１‐プロパノール、２，３‐ジクロロ‐１‐プロパノール及び２，２‐ジクロロエチルエーテル等のジハロゲン化合物、
エピクロロヒドリン等のハロヒドリン、
ビス（エポキシプロピル）エーテル、
ビニルシクロヘキセンジオキシド、
エチレングリコール‐ビス（エポキシプロピル）エーテル、
１，３‐ビス（β‐ヒドロキシ‐Γ‐クロロプロポキシ）‐２‐プロパノール、
１，３‐ビス（β‐ヒドロキシ‐Γ‐クロロプロポキシ）エタン、
メチレンビス（アクリルアミド）、
Ｎ，Ｎ’‐ジメチロール（メチレンビス（アクリルアミド））、
トリアクリロールヘキサヒドロトリアジン、
アクリルアミドメチレンクロロアセトアミド、
オキシ塩化リン等のホスフェート、
２，４，６‐トリクロロピリミジン、
２，４，５，６‐テトラクロロピリミジン塩化シアヌル
トリアリルシアヌレートオキシ塩化リン、及び
ビス（アクリルアミド）酢酸が挙げられる。
【００６９】
好ましい架橋剤としては、ジエポキシ化合物、及びたとえば１，３‐ビス（グリシジルジメチルアンモニウム）プロパンジクロリド及びエピクロロヒドリン等のハロエポキシ化合物が挙げられ、より好ましくはホスフェート化合物、特にオキシ塩化リン（ＰＯＣｌ3）が挙げられる。
【００７０】
架橋及び誘導化反応が共に実施される場合、条件は、誘導化反応に関して上記で記載されたものである。架橋反応が、誘導化反応に続くその後の工程として実施される場合も、反応条件は誘導化反応に関して概して上記されたものである。要求される架橋剤の量は、試薬の性質（出発物質及び架橋反応の条件）に依存する。全ての場合において、反応は、ポリマーに所望の難水溶性を付与するが、４級アンモニウム基により付与されたポリマーの水吸収特性（超吸収特性）を妨げない架橋の程度を与えるようにするのがよい。
【００７１】
好ましくは、架橋反応は、約１〜約２０時間、好ましくは約２〜約１０時間の間、約１５℃〜約１１０℃、より好ましくは約３５°〜約８５℃の温度にて実施される。
【００７２】
置換の程度及び架橋の程度は、出発物質の量及び反応条件、特に、誘導化及び／又は架橋剤の濃度、反応時間、塩基の量、反応温度、並びに基材の性質の適切な変更により、両方を制御することができる。多糖の種類（例えばセルロース、スターチ、ポリガラクトマンナン）に応じて、適切な変性が反応条件に対して作られることが必要である（例えば、スターチは概してセルロースより反応性が高いことが知られている）。
【００７３】
上記のプロセスは、誘導化及び架橋反応における触媒としての塩基（例えばＮａＯＨ）の使用の結果として、脱プロトン化されたヒドロキシル基を有する多糖誘導体をもたらす。概して、多糖は中和形態において要求され、これは、酸（例えばＨＣｌ、酢酸又は乳酸）による中性ｐＨへの処理により調製されることができ、または任意選択的に水による洗浄により中性ｐＨに中和される。必要な場合には、中性形態における多糖は、強塩基（例えばＮａＯＨ）による処理により脱プロトン化されることができ、任意選択的に、次いで水により洗浄される。
【００７４】
本発明による変性多糖は、工業用クリーナー、家庭用洗浄剤、並びにシャンプー及びボディウォッシュ等のパーソナルケア組成物を含む、種々の洗浄剤又はリンス・オフ用途、並びに車又は木を磨く等のリーブ・オン用途において有用である。概して、配合物は、１種又はそれより多くの界面活性剤と、変性多糖と、キャリアと、配合物の特定の用途に応じた他の材料とを含む。
【００７５】
１つの側面において、本発明による変性多糖は、コンディショナー及びコンディショニングシャンプーを含むパーソナルケア組成物において有用である。係るパーソナルケア組成物は、化粧的に許容可能な媒体中に、上記のカチオン性及びケイ素成分の両方を、好ましくは組成物の全質量に対して約０．１質量％〜約３．０質量％の範囲の量（質量／質量）で有する変性多糖を含み、約０．２０％（質量／質量）〜約２．０％（質量／質量）の濃度がより好ましく、いっそう好ましくは約０．２５％（質量／質量）〜約１．５％（質量／質量）である。
【００７６】
「化粧用に許容可能な媒体」という用語は、少なくとも１種のケラチン材料（例えば肌、髪、爪、まつげ、眉、唇及び体又は顔の肌の任意の他の領域）に適合する媒体を指す。係る化粧用に許容可能な媒体は、もっぱら水、又は水と、Ｃ1〜Ｃ4低級アルコール（例えばエタノール、イソプロパノール、ｔｅｒｔ‐ブタノール又はｎ‐ブタノール）、アルキレンポリオール（例えばプロピレングリコール）、ポリオールエーテル及びこれらの混合物等の化粧用に許容可能な溶媒との混合物からなることができる。
【００７７】
本発明によるパーソナルケア組成物としては、「リンス・オフ」分類のものが挙げられる。これらは、例えばシャンプー、リンス・オフコンディショナー、ボディウォッシュ、洗顔料、液体せっけん、固体石けん、例えば手指消毒剤などのヒドロアルコール系製品等を含み、それらは水により容易に洗い流すことができる。本発明によるパーソナルケア組成物としては、日焼け止め剤、ローション、コーミングクリーム、虫よけなどの「リーブ・オン」分類のものが挙げられ、それらは長期間肌又は髪上に保持されることが意図される。さらなるリーブ・オンとしては、色素性肌着色剤、マニキュア液及びマニキュアの除光液、マスカラ、ルージュ、リップスティック及びバーム等のカラー化粧品が挙げられる。
【００７８】
本発明による組成物は、アニオン性、カチオン性、非イオン性、両性、又は両性イオン性界面活性剤、アニオン性、カチオン性、非イオン性、両性、又は両性イオン性ポリマー、増粘剤、真珠光沢剤、乳白剤、ＵＶ‐日焼け止め剤、香料、鉱油、植物オイル及び／又は合成オイル、脂肪酸エステル、染料、無機又は有機、天然又は合成の粒子、防腐剤及びｐＨ安定剤等の当分野でよく知られている１種又はそれより多くの標準的な添加剤を含むこともできる。界面活性剤は、組成物の約５質量％〜約６０質量％の量において組成物中に存在することができる。他の任意選択的な添加剤は、概して組成物の全質量に基づいて、約０〜約２０質量％の範囲の量において、本発明による組成物中に存在する。当業者は、本発明の組成物の特性を害しないように、これらの任意選択的な添加剤とその量を選択するであろう。
【００７９】
表面改質組成物に有用なアニオン性界面活性剤としては、アンモニウムラウリルサルフェート、アンモニウムラウレスサルフェート、トリエチルアミンラウリルサルフェート、モノエタノールアミンラウリルサルフェート、モノエタノールアミンラウレスサルフェート、ジエタノールアミンラウリルサルフェート、ジエタノールアミンラウレスサルフェート、トリエチルアミンラウレスサルフェート、トリエタノールアミンラウリルサルフェート、トリエタノールアミンラウレスサルフェート、ラウリン酸モノグリセリドナトリウムサルフェート、ナトリウムラウリルサルフェート、ナトリウムラウレスサルフェート、カリウムラウリルサルフェート、カリウムラウレスサルフェート、ナトリウムラウリルサルコシネート、ナトリウムラウロイルサルコシネート、ラウリルサルコシン、ココイルサルコシン、アンモニウムココイルサルフェート、アンモニウムラウロイルサルフェート、ナトリウムココイルサルフェート、ナトリウムラウロイルサルフェート、カリウムココイルサルフェート、カリウムラウロイルサルフェート、モノエタノールアミンココイルサルフェート、及びこれらの組み合わせが挙げられる。
【００８０】
他の適したアニオン性界面活性剤としては、イセチオン酸によりエステル化され、水酸化ナトリウムにより中和された脂肪酸の反応生成物（例えば脂肪酸はココナッツオイル又はパームカーネルオイル由来である）、及びメチルタウライドの脂肪酸アミドのナトリウム又はカリウム塩が挙げられる。
【００８１】
表面改質組成物における使用に適したさらに他のアニオン性界面活性剤としては、種々のスクシネートが挙げられ、その例としては、二ナトリウムＮ‐オクタデシルスルホスクシネート、二ナトリウムラウリルスルホスクシネート、ジアンモニウムラウリルスルホスクシネート、テトラナトリウムＮ‐（１，２‐ジカルボキシエチル）‐Ｎ‐オクタデシルスルホスクシネート、ナトリウムスルホコハク酸のジアミルエステル、ナトリウムスルホコハク酸のジヘキシルエステル、及びナトリウムスルホコハク酸のジオクチルエステルが挙げられる。
【００８２】
また、他の適したアニオン性界面活性剤としては、約１０〜約２４個の炭素原子を有するオレフィンスルホネートが挙げられる。オレフィンスルホネートは、錯形成していない三酸化硫黄によるα‐オレフィンのスルホン化、それに続く、反応中に形成された任意の硫黄が、加水分解されて対応するヒドロキシ‐アルカンスルホネートを与えるような条件における酸反応混合物の中和により製造することができる化合物を指す。オレフィンスルホネートを誘導するα‐オレフィンは、好ましくは約１０〜約２４個の炭素原子、好ましくは約１２〜約１６個の炭素原子を有するモノオレフィンである。好ましくは、それは直鎖オレフィンである。
【００８３】
本開示で用いるのに適したアニオン性界面活性剤の別の分類は、β‐アルキルオキシアルカンスルホネートである。係る界面活性剤は、以下の式
【００８４】
【化１４】
2017197710.tif 000015
【００８５】
（式中、Ｒ1は約６〜約２０個の炭素原子を有する直鎖アルキル基であり、Ｒ2は約１〜約３つの炭素原子、好ましくは１つの炭素原子を有する低級アルキル基であり、Ｍは水溶性カチオンである。）
にしたがう。
【００８６】
上記のサルフェート、イセチオネート（ｉｓｅｔｈｉｎｏａｔｅ）、スルホネート及びスルホスクシネートに加えて、アニオン性界面活性剤に関する他の見込みのあるアニオンとしては、ホスホネート、ホスフェート及びカルボキシレートが挙げられる。
【００８７】
本発明による表面改質組成物は、両性界面活性剤、両性イオン性界面活性剤、カチオン性界面活性剤及び非イオン性界面活性剤等の１種又はそれより多くの追加の界面活性剤を含むこともできる。本開示で用いるのに適した両性、両性イオン性、カチオン性及び非イオン性界面活性剤としては、ヘアケア又は他のパーソナルケア組成物における使用に関して知られているもの（例えばコカミドプロピルベタイン及び／又はラウラミドプロピルベタイン）が挙げられる。係る界面活性剤の濃度は、好ましくは組成物の約０．５％〜約２０．０％（質量／質量）、好ましくは約１．０質量％〜約１０．０質量％の範囲である。
【００８８】
界面活性剤は、好ましくは表面改質組成物中において、組成物の約３５％以下、より好ましくは約２０％以下、いっそう好ましくは約１５％以下の濃度において存在する。
【００８９】
他の任意選択的な材料としては、最終の組成物の審美性を改変する化合物及び材料が挙げられる。例えば、香料及び天然オイルを用いることにより、所望の香りを与えることができる一方で、染料、顔料、乳白剤又は真珠光沢剤を用いることにより、より魅力的な外観を与えることができる。性能の全体像から、ビタミン、アミノ酸及び保湿剤は、向上した保護及び修復機能を与えることができる。毛髪着色剤又は肌及び爪着色組成物の強度を保護し、寿命を延ばし、又は向上させる材料が特に有用である。
【００９０】
本発明の実施において有用な非洗浄性コンディショニング剤は、種々の分類の群から選択されることができる。特に有用なコンディショニング剤としては、油性物質、ワックス、非イオン性物質、カチオン性材料、両親媒性材料、カチオン性ポリマー及びこれらの混合物が挙げられる。油性物質としては、天然オイル（例えばオリーブオイル、アーモンドオイル、小麦の胚種油、トウゴマオイル）、及び合成オイル（例えば鉱油、イソプロピルミリステート、パルミテート、ステアレート及びイソステアレート、オレイルオレエート、イソセチルステアレート、ヘキシルラウレート、ジブチルアジペート、ジオクチルアジペート、ミリスチルミリステート及びオレイルエルケート）が挙げられる。
【００９１】
パンテノール及びポリオール（例えば分子量が２００〜２００００であるグリセロール、ポリエチレングリコール）等の保湿剤は、非洗浄性コンディショニング剤として存在することもできる。保湿材料は、全組成物の約０．０１〜約２．５質量％の濃度にて組成物中に存在することができる。更なる保湿剤としては、セチルラクテート、ラウリルラクテート、Ｃ12〜Ｃ15ラクテート、ジセチルマレート、ミリスチルラクテート、デシルオレエート、イソデシルオレエート、ジイソプロピルアジペート、イソセチルアルコール、イソデシルネオペンタノエート、エチルヘキシルパルミテート、イソセチルステアレート、ミリスチルミリステート及びミリスチルラウレート、グリシジルジラウレート、トリデシルネオペンタノエート、イソステアリルネオペンタノエート、オクチルドデシルステアレート、イソセチルステアロイルステアレート、オクチルドデシルステアロイルステアレート、及びカプリル酸（ｃａｒｐｙｌｉｃ）／カプリン酸トリグリセリド等のエステル系の軟化剤が挙げられる。
【００９２】
非イオン性コンディショニング剤は、全組成物の約０．０１質量％〜約１０．００質量％、好ましくは全組成物の約０．０５質量％〜約７．５０質量％、より好ましくは約０．１０質量％〜約５．００質量％、最も好ましくは約０．１０質量％〜約３．００質量％の範囲で組成物中に存在することができる。
【００９３】
他のカチオン性材料は、セチルトリメチルアンモニウムクロリド、ステアルトリモニウムクロリド、ベヘントリモニウムクロリド、ステアラミドプロピルトリモニウムクロリド、ジオレオイルエチルジメチルアンモニウムメトサルフェート及びジオレオイルエチルヒドロキシエチルモニウムメトサルフェート等の非洗浄性コンディショニング剤として用いることもできる。ステアラミドプロピルジメチルアミン等のアミドアミンは、本発明の組成物中のコンディショニングカチオン性界面活性剤として用いることもできる。
【００９４】
他の適したコンディショニング材料としては、グリセリルブチルエーテル、グリセリルイソブチルエーテル、グリセリルｔｅｒｔ‐ブチルエーテル、グリセリルペンチルエーテル、グリセリルイソペンチルエーテル、グリセリルヘキシルエーテル、グリセリルイソヘキシルエーテル、グリセリルヘプチルエーテル、グリセリルオクチルエーテル、グリセリルエチルヘキシルエーテル、グリセリルノニルエーテル、グリセリルデシルエーテル、グリセリルイソデシルエーテル、グリセリルラウリルエーテル、グリセリルミリスチルエーテル、グリセリルパルミチルエーテル、グリセリルステアリルエーテル及びグリセリルベヘニルエーテル及びその混合物等のグリセリルエーテルが挙げられる。最も好ましいのは、グリセリルブチルエーテル、グリセリルイソブチルエーテル、グリセリルｔｅｒｔ‐ブチルエーテル、グリセリルペンチルエーテル、グリセリルイソペンチルエーテル、グリセリルヘキシルエーテル、グリセリルイソヘキシルエーテル、グリセリルヘプチルエーテル、グリセリルオクチルエーテル、グリセリルエチルヘキシルエーテル、グリセリルノニルエーテル、グリセリルデシルエーテル、グリセリルイソデシルエーテル、グリセリルラウリルエーテルなどである。
【００９５】
さらに他の非洗浄性コンディショニング材料としては、水性及びアルコール性植物抽出物から誘導されたもの等のポリフェノールが挙げられる。適した抽出物としては、アロエ、パイナップル、アーティチョーク、アルニカ、アボカド、バレリアン、竹、ヒヨス、カバノキ、イラクサ、エキナシア、アイビー、ワイルドアンジェリカ、リンドウ、シダ、松葉、シルバーウィード、朝鮮人参、エニシダ、オート麦、ローズヒップ、マンサク、ヘイフラワー、エルダーベリー、ホップ、フキタンポポ、スグリ、カモミール、ニンジン、クリ、クローバー、バールート（ｂｕｒｒ  ｒｏｏｔ）、ココナッツ、ヤグルマソウ、ライムの花、ドイツスズラン、海草、バルム、ヤドリギ、トケイソウ、ラタニア（ｒａｔａｎｈｉａ）、マリーゴールド、ローズマリー、トチノキ、ピンクサンザシ、セージ、ツクシ、ノコギリソウ、サクラソウ、イラクサ、タイム、クルミ、ワインリーフ、白サンザシなど由来のものが挙げられる。
【００９６】
本発明によるパーソナルケア配合物は、その外観及び消費者への魅力を改善するように、たとえば香料、染料、着色剤、顔料、ブリーチ剤、真珠光沢剤（例えばマイカ及び二酸化チタンコーティングマイカ）、乳白剤などの他の材料を含むこともできる。カルボマー、ポリ（ビニルピロリドン）、ヒドロキシプロピルメチルセルロース、ヒドロキシプロピルセルロース、ナトリウムポリアクリレート等のレオロジー調整剤を用いることにより、増粘又は他の審美的に好ましい特性を与えることができる。
【００９７】
本発明のより詳細な理解のために、参照が以下の例及び態様に対してなされる場合があるが、それは本発明の更なる説明として意図され、制限する意味において構成されていない。全ての部及び百分率は、別段の記載がない限り質量による。
【００９８】
実施態様
【００９９】
１．カチオン性置換基及びケイ素置換基の両方を有する変性多糖であって、４級アンモニウム基によりカチオン置換されており、かつ、約０．１〜約２．５ｍｅｑ／ｇの電荷密度を有し、約３００〜約５０００ｐｐｍのケイ素濃度を有するように、シリコネート基によりさらに置換されている、変性多糖。
【０１００】
２．前記４級アンモニウム基が、一般式（Ｉ）又は（ＩＩ）：
【０１０１】
【化１５】
2017197710.tif 000016
【０１０２】
（式中、ｎは１〜１６の整数であり、
Ｘはハロゲンであり、
Ｚ-は無機、ニトレート、亜硝酸塩、ホスフェート、サルフェート若しくは水酸化物又は有機であってよいアニオンであり、
Ｒは水素又はメチルであり、
Ｒ1、Ｒ2及びＲ3は、独立に最大１０個の炭素原子を有する有機ラジカルである。）
の１つの４級アンモニウム化合物から誘導された、上記態様１に記載の変性多糖。
【０１０３】
３．前記多糖が架橋されて、水への溶解度が低下している、上記態様１又は２に記載の変性多糖。
【０１０４】
４．前記多糖上のカチオン性置換基とケイ素置換基との比が、約１５００：１〜約１：３である、上記態様１〜３のいずれかに記載の変性多糖。
【０１０５】
５．前記多糖が、スターチである、上記態様１〜４のいずれかに記載の変性多糖。
【０１０６】
６．前記スターチが、バナナ、コーン、エンドウ、ポテト、サツマイモ、オオムギ、小麦、米、サゴ、アマランス、タピオカ、ソルガム、ワキシーコーン、もち米、ワキシーポテト、ワキシーソルガム、ワキシーキャッサバ、ワキシーオオムギ、高アミローススターチ及びこれらの組み合わせから選択される、上記態様５に記載の変性多糖。
【０１０７】
７．前記多糖が、ポリガラクトマンナンである、上記態様１〜４のいずれかに記載の変性多糖。
【０１０８】
８．前記ポリガラクトマンナンが、フェヌグリークガム、グアーガム、タラガム、ローカストビーンガム及びカッシアガムから選択される、上記態様７に記載の変性多糖。
【０１０９】
９．前記ポリガラクトマンナンが、グアーガムである、上記態様８に記載の変性多糖。
【０１１０】
１０．前記多糖が、約０．２〜約２．０ｍｅｑ／ｇの電荷密度を有する４級アンモニウム基により置換されている、上記態様１〜９のいずれかに記載の変性多糖。
【０１１１】
１１．組成物の約０．１質量％〜約１．０質量％のカチオン変性シリコーングラフト化多糖と、
組成物の約５質量％〜約６０質量％の少なくとも１種の界面活性剤と、
キャリアと、
を含む、表面改質組成物。
【０１１２】
１２．前記カチオン変性シリコーングラフト化多糖が、カチオン変性シリコーングラフト化スターチである、上記態様１１に記載の表面改質組成物。
【０１１３】
１３．前記スターチが、バナナ、コーン、エンドウ、ポテト、サツマイモ、オオムギ、小麦、米、サゴ、アマランス、タピオカ、ソルガム、ワキシーコーン、もち米、ワキシーポテト、ワキシーソルガム、ワキシーキャッサバ、ワキシーオオムギ、高アミローススターチ及びこれらの組み合わせから選択される、上記態様１２に記載の表面改質組成物。
【０１１４】
１４．前記スターチが、ワキシースターチである、上記態様１１又は１２に記載の表面改質組成物。
【０１１５】
１５．前記カチオン変性シリコーングラフト化多糖が、カチオン変性シリコーングラフト化多糖である、上記態様１１に記載の表面改質組成物。
【０１１６】
１６．前記ポリガラクトマンナンが、フェヌグリークガム、グアーガム、タラガム、ローカストビーンガム、カッシアガム及びこれらの組み合わせから選択される、上記態様１５に記載の表面改質組成物。
【０１１７】
１７．前記ポリガラクトマンナンが、グアーガムである、上記態様１５又は１６に記載の表面改質組成物。
【０１１８】
１８．前記界面活性剤が、アニオン性界面活性剤、カチオン性界面活性剤、非イオン性界面活性剤、両性界面活性剤及びこれらの組み合わせから選択される、上記態様１１〜１７のいずれかに記載の表面改質組成物。
【０１１９】
１９．基材に上記態様１１〜１８のいずれかに記載の表面改質組成物を適用することを含む、改質された基材を達成する、方法。
【０１２０】
２０．前記基材がケラチン性表面である、上記態様１９に記載の方法。
【０１２１】
２１．前記基材が、セルロース、木、セラミック、ガラス又は金属である、上記態様１９に記載の方法。
【０１２２】
例
例１‐変性多糖の調製‐
比較のために、種々の量のカチオン化及び種々の量のケイ素成分を有する変性タラガムの種々のサンプルが調製された。カチオン変性のみを有する追加の比較サンプルが調製された。
【０１２３】
変性多糖サンプルの調製方法は、以下のとおりであった。イソプロパノール、ＮａＯＨ及びタラガムの水溶液が、６０℃にて撹拌しつつ混ぜ合わされた。グリシジルトリメチルアンモニウムクロリドを溶液に添加し、６０℃において３時間、タラガムと反応させた。カチオン変性混合物は、次いで４０℃に冷却された。４０℃に冷却された後、カチオン変性ガムを、上記の表に示された量で、１時間、ナトリウムメチルシリコネート（シリコーン変性が実施されない比較例５の例外を伴う）と反応させ、次いで変性ガムをＨＣｌにより中和し、次いでろ過し、その後８０％のイソプロパノールにより洗浄した。サンプルは、次いで４０℃において終夜乾燥された。変性多糖の形成に用いられた処方は、以下の表に与えられる。
【０１２４】
【表１】
2017197710.tif 000017
【０１２５】
1  質量％は用いられた１００％の多糖に対するものである。
2  水性２５％ＮａＯＨ質量に基づく１２％（無水ＮａＯＨ質量は３％である）。
3  ＱＵＡＢ（登録商標）１５１（グリシジルトリメチルアンモニウムクロリド）、ＳＫＷ  Ｑｕａｂ  Ｃｈｅｍｉｃａｌｓ  Ｉｎｃ．、Ｓａｄｄｌｅ  Ｂｒｏｏｋ、Ｎｅｗ  Ｊｅｒｓｅｙ  ＵＳＡから市販で入手可能。
4  ザイアメター（登録商標）ＯＦＳ‐０７７２シリコネート（ナトリウムメチルシリコネート）、Ｄｏｗ  Ｃｈｅｍｉｃａｌ、Ｍｉｄｌａｎｄ、Ｍｉｃｈｉｇａｎ  ＵＳＡから市販で入手可能。
5  中和工程の目的としたｐＨは、４〜７の範囲である。したがって、この生成物の中和に要求される３ＭのＨＣｌの量は、範囲として表される。
【０１２６】
乾燥した変性タラガムは、ガムに結合したケイ素の量を決定するために、ケイ素の波長２２１．６６７ｎｍにおいて、Ｔｈｅｒｍｏ  ＳｃｉｅｎｔｉｆｉｃTM  ｉＣＡＰTM７０００Ｓｅｒｉｅｓ  ＩＣＰ‐ＯＥＳ（Ｉｎｄｕｃｔｉｖｅｌｙ  Ｃｏｕｐｌｅｄ  Ｐｌａｓｍａ‐Ｏｐｔｉｃａｌ  Ｅｍｉｓｓｉｏｎ  Ｓｐｅｃｔｒｏｓｃｏｐｙ）を用いてラジアルモードで分析された。結果は、以下の表２に与えられる。
【０１２７】
【表２】
2017197710.tif 000018
【０１２８】
1  ザイアメター（登録商標）ＯＦＳ‐０７７２シリコネート（ナトリウムメチルシリコネート）、Ｄｏｗ  Ｃｈｅｍｉｃａｌ、Ｍｉｄｌａｎｄ、Ｍｉｃｈｉｇａｎ  ＵＳＡから市販で入手可能。
2  ＱＵＡＢ（登録商標）１５１（グリシジルトリメチルアンモニウムクロリド）、ＳＫＷ  Ｑｕａｂ  Ｃｈｅｍｉｃａｌｓ、  Ｉｎｃ．、Ｓａｄｄｌｅ  Ｂｒｏｏｋ、Ｎｅｗ  Ｊｅｒｓｅｙ  ＵＳＡから市販で入手可能。
【０１２９】
上記の結果は、第一に、カチオン性タラガム骨格中へのケイ素の組み入れを示す。ケイ素（ザイアメター（登録商標）ＯＦＳ‐０７７２）濃度の量が増加するにつれて（６〜２４％、サンプル１から３）、結合したケイ素の量が増加する。第二に、タラガム４級化の程度の増大が、シリコネート化のより低い程度をもたらすことがわかる（サンプル４）。この現象は、ケイ素（ザイアメター（登録商標ＯＦＳ‐０７７２）の利用可能な結合サイトの量の減少、及び／又はケイ素のカチオン性タラガム骨格への接近を阻害する立体障害の増大によりおそらく説明することができる。したがって、両方の置換基の慎重な調節は、デポジション（４級化を介して）及び感覚の利益（シリコネート化を介して）の両方の最大性能を得るように要求される。
【０１３０】
例２‐シャンプー配合物‐
種々の変性多糖を含む標準シャンプー組成物のコンディショニング特性が評価された。全ての試験は、Ｉｎｔｅｒｎａｔｉｏｎａｌ  Ｈａｉｒ  Ｉｍｐｏｒｔｅｒｓ＆Ｐｒｏｄｕｃｔｓ（グレンデール、ＮＹ）から入手した髪で実施された。髪の一房が約３ｇと秤量され、８インチ（２０．３２ｃｍ）の長さと１インチ（２．５４ｃｍ）の幅が測定された。試験の前に、髪の一房は１０．２のｐＨにて６％の過酸化水素を用いてブリーチされた。髪の一房は、制御された温度条件下（４０℃）で４０分間ブリーチ溶液と接触したままにされた。このプロセスの終わりにおいて、髪の一房は４０℃に設定されたＩｎｔｅｌｌｉｆａｕｃｅｔすすぎ装置で１．０ＧＰＭの制御された流速により完全にすすがれた。以下の配合にしたがって、変性多糖を含む、及び含まない種々のシャンプー配合物が製造され、試験された。
【０１３１】
【表３】
2017197710.tif 000019
【０１３２】
1  コントロール１は、カチオン電荷（ポリクオタニウム‐１０）のみを有し、本発明による変性多糖を含まないシャンプー配合物である。
2  コントロール２（比較）は、カチオン電荷（ポリクオタニウム‐１０）及び別個の材料としてケイ素の添加の両方を有するが、本発明による変性多糖を含まないシャンプー配合物である。
3  サンプル１及びサンプル２に関して上記の表１を参照のこと。
4  ＵＣＡＲＥTMポリマー  ＪＲ‐３０Ｍ、Ｔｈｅ  Ｄｏｗ  Ｃｈｅｍｉｃａｌ  Ｃｏｍｐａｎｙ、Ｍｉｄｌａｎｄ  Ｍｉｃｈｉｇａｎ  ＵＳＡから入手可能。
5  ザイアメター（登録商標）ＭＥＭ‐１７８５エマルション（ＩＮＣＩ：ジメチコノール（及び）ＴＥＡ‐ドデシルベンゼンスルホネート）、Ｄｏｗ  Ｃｏｒｎｉｎｇ、Ｍｉｄｌａｎｄ、Ｍｉｃｈｉｇａｎ  ＵＳＡから入手可能。
6  Ｍｉｒａｃａｒｅ（登録商標）Ｐｌａｉｓａｎｔ（ＩＮＣＩ：水（及び）ナトリウムココイルイセチオネート（及び）ラウロアンホ酢酸ナトリウム（及び）ナトリウムメチルココイルタウレート）、Ｓｏｌｖａｙ  Ｎｏｖｅｃａｒｅ、Ｐｒｉｎｃｅｔｏｎ、Ｎｅｗ Ｊｅｒｓｅｙ  ＵＳＡから入手可能。
7  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
8  Ｍｉｃｒｏｃａｒｅ（登録商標）ＰＨＩ（ＩＮＣＩ：フェノキシエタノール（及び）ブチルカルバミン酸ヨウ化プロピニル）、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
【０１３３】
全ての製品処理は以下の手順にしたがって実施された。シャンプーは、湿った毛髪の髪の一房に適用される、髪のｇ当たり０．１ｇのシャンプーの量において適用され、親指と人差し指との間で３０秒間もまれた。髪の一房は、次いで３８℃及び１ｇａｌ／分に設定されたＩｎｔｅｌｌｉｆａｕｃｅｔすすぎ装置で３０秒間すすがれた。
【０１３４】
シャンプー結果
ほとんどのコンディショニング製品の主な技術的機能は、髪の表面を滑りやすくし、そうした場合において、扱いやすさを促進し、ほぐすことの利益とより低いコーミング摩擦を与えることである。コントロール配合物に対する本発明による変性多糖を含むシャンプー配合物の比較結果は、以下の表に示される。結果は５人のパネリストによる試験に基づき、１から５のスコアカードの平均として表される（５が最も良好である）。変性多糖配合物の正の結果は、この配合物がＰＱ‐１０及びケイ素を別個に含む配合物（上記のコントロール２のシャンプー）と同等又はこれより良好であることを示すはずである。
【０１３５】
【表４】
2017197710.tif 000020
【０１３６】
1  コントロール３は負のコントロール（１５％のＳＬＥＳのみ（界面活性剤のみ））の溶液を表し、すなわち髪の一房が界面活性剤溶液のみを用いて洗浄され、評価された。
2  コントロール４は、比較の市販のシャンプー（Ｄｏｖｅ  Ｄａｉｌｙ  Ｍｏｉｓｔｕｒｅ  Ｓｈａｍｐｏｏ＆Ｃｏｎｄｉｔｉｏｎｅｒ）を表し、すなわち、髪の一房が市販のシャンプーを用いて洗浄され、評価された。
【０１３７】
【表５】
2017197710.tif 000021
【０１３８】
【表６】
2017197710.tif 000022
【０１３９】
【表７】
2017197710.tif 000023
【０１４０】
結果は、本発明の配合物（サンプル１、１８％のカチオン化及び６％のケイ素を含む変性多糖‐シャンプー１）が、別個の材料としてＰＱ１０及びケイ素の両方を有するコントロール２シャンプーと同等又はこれより良好であることを示す。
【０１４１】
当業者により理解されるように、本発明は種々の工業用、ホームケア及びパーソナルケア表面改質配合物を提供する。例えば、本発明は、以下に例示されるように、種々の化粧表及び皮膚科学的に許容可能なパーソナルケア配合物を提供する。当業者は、これらの配合物が改変可能であること、及び他のパーソナルケア配合物が、本開示に記載された変性多糖を用いて製造可能であることを理解するであろう。
【０１４２】
変性多糖を用いることができる配合物の例は、以下のようなものである。
【０１４３】
【表８】
2017197710.tif 000024
【０１４４】
1  本発明による変性多糖（例えば、上記のサンプル１又はサンプル２）。
2  ＴＥＸＡＰＯＮ（登録商標）Ｎ７０ＮＡアニオン性界面活性剤、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
3  ＡＭＰＨＯＳＯＬ（登録商標）ＣＧ両性界面活性剤、Ｓｔｅｐａｎ  Ｃｏｍｐａｎｙ、Ｎｏｒｔｈｆｉｅｌｄ、Ｉｌｌｉｎｏｉｓ  ＵＳＡから入手可能。
4  Ｅｄｅｔａ（登録商標）ＢＤアミノ‐カルボン酸、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
5  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
6  Ｍｉｃｒｏｃａｒｅ（登録商標）ＰＨＩ（ＩＮＣＩ：フェノキシエタノール（及び）ブチルカルバミン酸ヨウ化プロピニル）、Ｔｈｏｒ  Ｐｅｒｓｏｎａｌ  Ｃａｒｅ  ＳＡＳ、ＬａＣｒｏｉｘ  Ｓａｉｎｔ‐Ｏｕｅｎ、Ｆｒａｎｃｅから入手可能。
【０１４５】
【表９】
2017197710.tif 000025
【０１４６】
1  本発明による変性多糖（例えば、上記のサンプル１又はサンプル２）。
2  Ｅｄｅｔａ（登録商標）ＢＤアミノ‐カルボン酸、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
3  Ｌｅｘａｍｉｎｅ（登録商標）Ｓ‐１３ワックス乳化剤（ＩＮＣＩ：ステアラミドプロピルジメチルアミン）、Ｉｎｏｌｅｘ、Ｐｈｉｌａｄｅｌｐｈｉａ、Ｐｅｎｎｓｙｌｖａｎｉａ  ＵＳＡから入手可能。
4  Ｌａｎｅｔｔｅ（登録商標）１６増粘剤（ＩＮＣＩ：セチルアルコール）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
5  Ｌａｎｅｔｔｅ（登録商標）１８増粘剤（ＩＮＣＩ：ステアリルアルコール）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
6  ザイアメター（登録商標）ＰＭＸ‐２００シリコーン流体（ＩＮＣＩ：ジメチコン）、Ｄｏｗ  Ｃｏｒｎｉｎｇ、Ｍｉｄｌａｎｄ、Ｍｉｃｈｉｇａｎ  ＵＳＡから入手可能。
7  ザイアメター（登録商標）ＰＭＸ‐０３４５シクロシロキサンブレンド（ＩＮＣＩ：シクロペンタシロキサン（及び）シクロヘキサシロキサン）、Ｄｏｗ  Ｃｏｒｎｉｎｇ、Ｍｉｄｌａｎｄ、Ｍｉｃｈｉｇａｎ  ＵＳＡから入手可能。
8  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
9  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、  Ｌａ  Ｃｒｏｉｘ  Ｓａｉｎｔ‐Ｏｕｅｎ、Ｆｒａｎｃｅから入手可能。
【０１４７】
【表１０】
2017197710.tif 000026
【０１４８】
1  本発明による変性多糖（例えば、上記のサンプル１又はサンプル２）。
2  ザイアメター（登録商標）ＯＦＸ‐０１９３シリコーン流体（ＩＮＣＩ：ＰＥＧ‐１２ジメチコン）、Ｄｏｗ  Ｃｏｒｎｉｎｇ、Ｍｉｄｌａｎｄ、Ｍｉｃｈｉｇａｎ  ＵＳＡから入手可能。
3  ザイアメター（登録商標）ＭＥＭ‐０９４９カチオン性ケイ素ポリマーエマルション（ＩＮＣＩ：アモジメチコン（及び）セトリモニウムクロリド（及び）トリデセス‐１２）、Ｄｏｗ  Ｃｏｒｎｉｎｇ、Ｍｉｄｌａｎｄ、Ｍｉｃｈｉｇａｎ  ＵＳＡから入手可能。
4  Ｂｒｉｊ（登録商標）Ｏ２０（ＩＮＣＩ：オレス‐２０）、Ｃｒｏｄａ  Ｉｎｔｅｒｎａｔｉｏｎａｌ  Ｐｌｃ、Ｅａｓｔ  Ｙｏｒｋｓｈｉｒｅ、Ｅｎｇｌａｎｄから入手可能。
5  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
6  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
【０１４９】
【表１１】
2017197710.tif 000027
【０１５０】
1  本発明による変性多糖（例えば、上記のサンプル１又はサンプル２）。
2  Ｒｉｔａココナッツオイル７６（ＩＮＣＩ：ココヤシ（ココナッツ）オイル）、ＲＩＴＡ  Ｃｏｒｐｏｒａｔｉｏｎ、Ｃｒｙｓｔａｌ  Ｌａｋｅ、Ｉｌｌｉｎｏｉｓ  ＵＳＡから入手可能。
3  Ｆｌｏｒａｓｕｎ（登録商標）９０サンフラワーオイル（ＩＮＣＩ：ヒマワリ（サンフラワー）シードオイル）、ＦｌｏｒａＴｅｃｈ、Ｃｈａｎｄｌｅｒ、Ａｒｉｚｏｎａ  ＵＳＡから入手可能。
4  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
5  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
6  Ｓａｌｃａｒｅ（登録商標）ＳＣ９６カチオン性ホモポリマー保湿剤（ＩＮＣＩ：ポリクオタニウム‐３７、プロピレングリコールジカプリレート／ジカプレート、ＰＰＧ‐１トリデセス‐６）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
【０１５１】
【表１２】
2017197710.tif 000028
【０１５２】
1  上記の表１参照。
2  ＡＭＰＨＯＳＯＬ（登録商標）ＣＢＤ  ＳＰＥＣＩＡＬ（ＩＮＣＩ：セチルベタイン）、ｔｈｅ  Ｓｔｅｐａｎ  Ｃｏｍｐａｎｙ、Ｎｏｒｔｈｆｉｅｌｄ、Ｉｌｌｉｎｏｉｓ  ＵＳＡから入手可能。
3  Ｈｏｓｔａｐｏｎ（登録商標）ＳＣＩ‐８５Ｃ（ＩＮＣＩ：ナトリウムココイルイセチオネート）、Ｃｌａｒｉａｎｔ  Ｉｎｔｅｒｎａｔｉｏｎａｌ  Ｌｔｄ．、Ｍｕｔｔｅｎｚ、Ｓｗｉｔｚｅｒｌａｎｄから入手可能。
4  ＥＤＥＴＡ（登録商標）ＢＸ粉末（ＩＮＣＩ：ＥＤＴＡ四ナトリウム）、ＢＡＳＦ、Ｌｕｄｗｉｇｓｈａｆｅｎ、Ｇｅｒｍａｎｙから入手可能。
5  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
6  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
【０１５３】
【表１３】
2017197710.tif 000029
【０１５４】
1  本発明による変性多糖（例えば、上記のサンプル１又はサンプル２）。
2  Ｇｌｙｓｔａｒ（登録商標）Ａ‐３１（ＩＮＣＩ：水素化スターチ加水分解物）、Ｉｎｇｒｅｄｉｏｎ  Ｉｎｃ．、Ｗｅｓｔｃｈｅｓｔｅｒ、Ｉｌｌｉｎｏｉｓ  ＵＳＡから入手可能。
3  ＡＭＰＨＯＳＯＬ（登録商標）ＣＢＤ  ＳＰＥＣＩＡＬ（ＩＮＣＩ：セチルベタイン）、ｔｈｅ  Ｓｔｅｐａｎ  Ｃｏｍｐａｎｙ、Ｎｏｒｔｈｆｉｅｌｄ、Ｉｌｌｉｎｏｉｓ  ＵＳＡから入手可能。
4  Ｈｏｓｔａｐｏｎ（登録商標）ＳＣＩ‐８５Ｃ（ＩＮＣＩ：ナトリウムココイルイセチオネート）、Ｃｌａｒｉａｎｔ  Ｉｎｔｅｒｎａｔｉｏｎａｌ  Ｌｔｄ．、Ｍｕｔｔｅｎｚ、Ｓｗｉｔｚｅｒｌａｎｄから入手可能。
5  Ｃｕｔｉｎａ（登録商標）ＥＧＭＳ（ＩＮＣＩ：グリコールステアレート）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
6  ＥＤＥＴＡ（登録商標）ＢＸ粉末（ＩＮＣＩ：ＥＤＴＡ四ナトリウム）、ＢＡＳＦ、Ｌｕｄｗｉｇｓｈａｆｅｎ、Ｇｅｒｍａｎｙから入手可能。
7  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
8  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
【０１５５】
【表１４】
2017197710.tif 000030
【０１５６】
1  本発明による変性多糖（例えば、上記のサンプル１又はサンプル２）。
2  Ｇｌｙｓｔａｒ（登録商標）Ａ‐３１（ＩＮＣＩ：水素化スターチ加水分解物）、Ｉｎｇｒｅｄｉｏｎ  Ｉｎｃ．、Ｗｅｓｔｃｈｅｓｔｅｒ、Ｉｌｌｉｎｏｉｓ  ＵＳＡから入手可能。
3  ＡＭＰＨＯＳＯＬ（登録商標）ＨＣＧ‐ＨＰ（ＩＮＣＩ：コカミドプロピルベタイン）、ｔｈｅ  Ｓｔｅｐａｎ  Ｃｏｍｐａｎｙ、Ｎｏｒｔｈｆｉｅｌｄ、Ｉｌｌｉｎｏｉｓ  ＵＳＡから入手可能。
4  Ｃａｌｆｏａｍ（登録商標）ＥＳ‐３０２（ＩＮＣＩ：ナトリウムラウリルエーテルサルフェート）、Ｃｌａｒｉａｎｔ  Ｉｎｔｅｒｎａｔｉｏｎａｌ  Ｌｔｄ．、Ｍｕｔｔｅｎｚ、Ｓｗｉｔｚｅｒｌａｎｄから入手可能。
5  Ｃｕｔｉｎａ（登録商標）ＥＧＭＳ（ＩＮＣＩ：グリコールステアレート）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
6  ＥＤＥＴＡ（登録商標）ＢＸ粉末（ＩＮＣＩ：ＥＤＴＡ四ナトリウム）、ＢＡＳＦ、Ｌｕｄｗｉｇｓｈａｆｅｎ、Ｇｅｒｍａｎｙから入手可能。
7  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
8  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
【０１５７】
【表１５】
2017197710.tif 000031
【０１５８】
1  本発明による変性多糖（例えば、上記のサンプル１又はサンプル２）。
2  Ｇａｆｑｕａｔ（登録商標）７５５Ｎ（ＩＮＣＩ：ポリクオタニウム‐１１）、Ａｓｈｌａｎｄ  Ｉｎｃ．、Ｃｏｖｉｎｇｔｏｎ、Ｋｅｎｔｕｃｋｙ  ＵＳＡから入手可能。
3  Ｓｏｌｕｌａｎ（登録商標）７５ラノリン誘導体（ＩＮＣＩ：ＰＥＧ‐７５ラノリン）、Ｌｕｂｒｉｚｏｌ  Ａｄｖａｎｃｅｄ  Ｍａｔｅｒｉａｌｓ、Ｃｌｅｖｅｌａｎｄ、Ｏｈｉｏ  ＵＳＡから入手可能）。
4  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
5  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
6  Ｂｒｉｊ（登録商標）Ｏ２０（ＩＮＣＩ：オレス‐２０）（化学ディスクリプタ：ポリオキシエチレン（２０）オレイルエーテル）、Ｃｒｏｄａ  Ｉｎｔｅｒｎａｔｉｏｎａｌ  ＰｌＣ、Ｓａｎｉｔｈ、Ｇｏｏｇｌｅ、Ｅａｓｔ  Ｙｏｒｋｓｈｉｒｅ、Ｕｎｉｔｅｄ  Ｋｉｎｇｄｏｍから入手可能。
【０１５９】
【表１６】
2017197710.tif 000032
【０１６０】
1  本発明による変性多糖（例えば、上記のサンプル１又はサンプル２）。
2  Ｓｔｙｌｅｚｅ（登録商標）Ｗ‐１０（ＩＮＣＩ：ポリクオタニウム‐５５）（化学ディスクリプタ：ビニルピロリドン／ジメチルアミノプロピルメタクリルアミド／メタクリロイルアミノプロピルラウリルジメチルアンモニウムクロリドターポリマー）、Ａｓｈｌａｎｄ  Ｉｎｃ．、Ｃｏｖｉｎｇｔｏｎ、Ｋｅｎｔｕｃｋｙ  ＵＳＡから入手可能。
3  Ｇｅｎａｍｉｎ（登録商標）ＫＤＭＰ（ＩＮＣＩ：ベヘントリモニウムクロリド）、Ｃｌａｒｉａｎｔ、Ｍｕｔｔｅｎｚ、Ｓｗｉｔｚｅｒｌａｎｄから入手可能。
4  ザイアメター（登録商標）ＰＭＸ‐２００シリコーン流体（ＩＮＣＩ：ジメチコン）、Ｄｏｗ  Ｃｏｒｎｉｎｇ、Ｍｉｄｌａｎｄ、Ｍｉｃｈｉｇａｎ  ＵＳＡから入手可能。
5  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
6  Ｍｉｃｒｏｃａｒｅ（登録商標）ＳＢＢ、ベンジルアルコール、安息香酸及びソルビン酸の液体ブレンド、Ｔｈｏｒ  Ｐｅｒｓｏｎａｌ  Ｃａｒｅ  ＳＡＳ、Ｌａ  Ｃｒｏｉｘ  Ｓａｉｎｔ‐Ｏｕｅｎ、Ｆｒａｎｃｅから入手可能。
7  Ｓａｌｃａｒｅ（登録商標）ＳＣ９６カチオン性ホモポリマー保湿剤（ＩＮＣＩ：ポリクオタニウム‐３７、プロピレングリコールジカプリレート／ジカプレート、ＰＰＧ‐１トリデセス‐６）、ＢＡＳＦ  Ｃｏｒｐｏｒａｔｉｏｎ、Ｆｌｏｒｈａｍ  Ｐａｒｋ、Ｎｅｗ  Ｊｅｒｓｅｙ  ＵＳＡから入手可能。
【０１６１】
【表１７】
2017197710.tif 000033
【０１６２】
1  本発明による変性多糖（例えば、上記のサンプル１又はサンプル２）。
2  Ｎｉｐａｇｉｎ（登録商標）Ｍナトリウム（ＩＮＣＩ：ナトリウムメチルパラベン）、Ｃｌａｒｉａｎｔ、Ｍｕｔｔｅｎｚ、Ｓｗｉｔｚｅｒｌａｎｄから入手可能。
3  Ｒｉｔａｍｏｌｌｉｅｎｔ  ＣＣＴ（ＩＮＣＩ：カプリル酸／カプリン酸トリグリセリド）、Ｒｉｔａ  Ｃｏｒｐｏｒａｔｉｏｎ、Ｃｒｙｓｔａｌ  Ｌａｋｅ、Ｉｌｌｉｎｏｉｓ  ＵＳＡ.から入手可能。
4  ＰｒｏｍｕｌｇｅｎTMＤ非イオン性乳化剤（ＩＮＣＩ：セテアリルアルコール（及び）セテアレス‐２０）、Ｌｕｂｒｉｚｏｌ  Ａｄｖａｎｃｅｄ  Ｍａｔｅｒｉａｌｓ、Ｃｌｅｖｅｌａｎｄ、Ｏｈｉｏ  ＵＳＡから入手可能。
5  ＰｒｏｍｕｌｇｅｎTMＧ非イオン性乳化剤（ＩＮＣＩ：ステアリルアルコール（及び）セテアレス‐２０）、Ｌｕｂｒｉｚｏｌ  Ａｄｖａｎｃｅｄ  Ｍａｔｅｒｉａｌｓ、Ｃｌｅｖｅｌａｎｄ、Ｏｈｉｏ  ＵＳＡから入手可能。
6  Ｓｈｅｂｕ  Ｒｅｆｉｎｅｄ（ＩＮＣＩ：ブチロスパーマム・パーキー（シアバター））、Ｒｉｔａ  Ｃｏｒｐｏｒａｔｉｏｎ、Ｃｒｙｓｔａｌ  Ｌａｋｅ、Ｉｌｌｉｎｏｉｓ  ＵＳＡから入手可能。
7  Ｒｉｔａ  ＳＳＯ（ＩＮＣＩ：ヒマワリ（サンフラワー）シードオイル）、Ｒｉｔａ  Ｃｏｒｐｏｒａｔｉｏｎ、Ｃｒｙｓｔａｌ  Ｌａｋｅ、Ｉｌｌｉｎｏｉｓ  ＵＳＡから入手可能。
8  ＲｉｔａココアバターＮＦ（ＩＮＣＩ：テオブロマカカオ（ココア）シードバター）、Ｒｉｔａ  Ｃｏｒｐｏｒａｔｉｏｎ、Ｃｒｙｓｔａｌ  Ｌａｋｅ、Ｉｌｌｉｎｏｉｓ  ＵＳＡから入手可能。
9  ＰＵＲＡＣ（登録商標）ＨｉＰｕｒｅ９０、Ｃｏｒｂｉｏｎ、Ａｍｓｔｅｒｄａｍ、Ｔｈｅ  Ｎｅｔｈｅｒｌａｎｄｓから入手可能。
10  ＥＤＥＴＡ（登録商標）ＢＸ（ＩＮＣＩ：ＥＤＴＡ二ナトリウム）、ＢＡＳＦ、Ｌｕｄｗｉｇｓｈａｆｅｎ、Ｇｅｒｍａｎｙから入手可能。
11  ＲｏｎａＣａｒｅ（登録商標）アラントイン（ＩＮＣＩ：アラントイン）、Ｍｅｒｃｋ  ＫＧａＡ、Ｄａｒｍｓｔａｄｔ、Ｇｅｒｍａｎｙから入手可能。
12  ＡＪＩＤＥＷ（登録商標）ＮＬ‐５０（ＩＮＣＩ：ナトリウムＰＣＡ（及び）水）、Ａｊｉｎｏｍｏｔｏ  Ｃｏ．、Ｉｎｃ．、Ｔｏｋｙｏ、Ｊａｐａｎから入手可能。
13  ザイアメター（登録商標）ＰＭＸ‐２００シリコーン流体（３５０ｃｐｓ）（ＩＮＣＩ：ジメチコン）、Ｄｏｗ  Ｃｏｒｎｉｎｇ、Ｍｉｄｌａｎｄ、Ｍｉｃｈｉｇａｎ  ＵＳＡから入手可能。
14  Ｎｉｐａｇｕａｒｄ（登録商標）ＤＭＤＭＨ（ＩＮＣＩ：ＤＭＤＭヒダントイン）、Ｃｌａｒｉａｎｔ、Ｍｕｔｔｅｎｚ、Ｓｗｉｔｚｅｒｌａｎｄから入手可能。
【０１６３】
【表１８】
2017197710.tif 000034
【０１６４】
1  本発明による変性多糖（例えば、上記のサンプル１又はサンプル２）。
2  ＥＤＥＴＡ（登録商標）ＢＸ粉末（ＩＮＣＩ：ＥＤＴＡ四ナトリウム）、ＢＡＳＦ、Ｌｕｄｗｉｇｓｈａｆｅｎ、Ｇｅｒｍａｎｙから入手可能。
【０１６５】
本発明は、以下に例示されるような種々の工業用及びホームケア配合物をさらに提供する。当業者は、これらの配合物が改変可能であること、及び本開示に記載される変性多糖を用いて他の配合物を製造可能であることを理解するであろう。
【０１６６】
変性多糖を用いることのできる工業用及びホームケア配合物の例は、以下のようなものである。
【０１６７】
【表１９】
2017197710.tif 000035
【０１６８】
1  本発明による変性多糖（例えば、上記のサンプル１又はサンプル２）。
2  ザイアメター（登録商標）ＯＦＸ‐０５３６流体（アミノメトキシ官能性ポリジメチルシロキサン）、Ｄｏｗ  Ｃｏｒｎｉｎｇ、Ｍｉｄｌａｎｄ、Ｍｉｃｈｉｇａｎ  ＵＳＡから入手可能。
3  ザイアメター（登録商標）ＯＦＸ‐０２０３流体（１００％活性アルキルアリールポリシロキサン流体）、Ｄｏｗ  Ｃｏｒｎｉｎｇ、Ｍｉｄｌａｎｄ、Ｍｉｃｈｉｇａｎ  ＵＳＡから入手可能。
4  Ｄａｗｎ（登録商標）食器洗浄液体、Ｔｈｅ  Ｐｒｏｃｔｅｒ＆Ｇａｍｂｌｅ  Ｃｏｍｐａｎｙ、Ｃｉｎｃｉｎｎａｔｉ、Ｏｈｉｏ ＵＳＡから入手可能。
【０１６９】
【表２０】
2017197710.tif 000036
【０１７０】
1  本発明による変性多糖（例えば、上記のサンプル１又はサンプル２）。
2  ＣＡＥ１０脂肪酸エトキシレート（平均１０モルのエチレンオキシドと反応したココナッツ脂肪酸）。
3  １，２‐プロパンジオール。
4  Ｖｉｔａｓｙｎ（登録商標）ＢｌｕｅＡＥ９０染料、Ｃｌａｒｉａｎｔ  Ｉｎｔｅｒｎａｔｉｏｎａｌ  Ｌｔｄ、Ｍｕｔｔｅｎｚ、Ｓｗｉｔｚｅｒｌａｎｄから入手可能。
5  Ｓａｎｏｌｉｎ（登録商標）Ｖｉｏｌｅｔ染料、Ｃｌａｒｉａｎｔ  Ｉｎｔｅｒｎａｔｉｏｎａｌ  Ｌｔｄ、Ｍｕｔｔｅｎｚ、Ｓｗｉｔｚｅｒｌａｎｄから入手可能。
【０１７１】
【表２１】
2017197710.tif 000037
【０１７２】
1  本発明による変性多糖（例えば、上記のサンプル１又はサンプル２）。
2  Ｓｉｇｍａ  Ａｌｄｒｉｃｈ、Ｓｔ．Ｌｏｕｉｓ、Ｍｉｓｓｏｕｒｉ  ＵＳＡから入手可能。
3  ＮＥＯＤＯＬ（登録商標）２５‐７、Ｓｈｅｌｌ  Ｃｈｅｍｉｃａｌｓ、Ｈｏｕｓｔｏｎ、Ｔｅｘａｓ  ＵＳＡから入手可能。
4  ＸＴＯＬ（登録商標）１００トールオイル脂肪酸、Ｇｅｏｒｇｉａ‐Ｐａｃｉｆｉｃ  Ｃｈｅｍｉｃａｌｓ、Ａｔｌａｎｔａ、Ｇｅｏｒｇｉａ  ＵＳＡから入手可能。
5  ザイアメター（登録商標）ポリジメチルシロキサン（ＰＤＭＳ）流体、Ｄｏｗ  Ｃｏｒｎｉｎｇ、Ｍｉｄｌａｎｄ、Ｍｉｃｈｉｇａｎ  ＵＳＡから入手可能。
6  Ｆｒａｎｋ  Ｂ．Ｒｏｓｓ  Ｃｏ．、Ｒａｈｗａｙ、Ｎｅｗ  ＪｅｒｓｅｙＵＳＡから入手可能。
【０１７３】
本発明の特定の実施態様が説明され、記載されてきた一方で、種々の他の変更及び改変が、本発明の精神及び範囲から逸脱することなくなされることが可能であることは、当業者に明らかであるであろう。したがって、本発明の範囲内の全ての係る変更及び改変は添付の特許請求の範囲に含まれることが意図される。
【外国語明細書】
2017197710000001.pdf